(57)【特許請求の範囲】
【請求項１】
測定対象の電池に交流源から交流電流を供給して、供給した該交流電流、及び該電池の両極間に発生する両極間交流電圧に基づいて、該電池の内部インピーダンスを測定するインピーダンス測定装置であって、
該交流源と該電池とが、該交流源の出力端に負極が接続されると共に、該電池の正極に正極が接続される第１の直流電圧源を介して接続され、
該電池の該正極に正極が接続される第２の直流電圧源と、該電池の負極、及び該第２の直流電圧源の負極間の電圧を検出する電圧検出回路とを備え、
該電圧検出回路の出力の交流成分から該両極間交流電圧を測定することを特徴とするインピーダンス測定装置。
【請求項２】
前記第２の直流電圧源が、前記電圧検出回路を内蔵する装置筐体の内部に配置され、又は該装置筐体にケーブル接続可能に該装置筐体の外部に配置されることを特徴とする請求項１に記載のインピーダンス測定装置。
【請求項３】
前記第１の直流電圧源が、前記交流源を内蔵する装置筐体の内部に配置され、又は該装置筐体にケーブル接続可能に該装置筐体の外部に配置され、
前記電池の前記正極に正極が接続される第２の直流電圧源と、該電池の負極、及び該第２の直流電圧源の負極間の電圧を検出する電圧検出回路とを備え、該電圧検出回路の出力の交流成分から前記両極間交流電圧を測定することを特徴とする請求項１又は２に記載のインピーダンス測定装置。
【請求項４】
測定対象の電池に交流源から交流電流を供給して、供給した該交流電流、及び該電池の両極間に発生する両極間交流電圧に基づいて、該電池の内部インピーダンスを測定するインピーダンス測定装置であって、
該交流源と該電池とが、該交流源の出力端に負極が接続されると共に、該電池の正極に正極が接続される第１の直流電圧源を介して接続され、
該電池の該両極間に接続される抵抗分圧比が、既知な直列接続された直列抵抗と、該直列抵抗で抵抗分圧された電圧を検出する電圧検出回路とを備え、該電圧検出回路の出力の交流成分から前記両極間交流電圧を測定することを特徴とするインピーダンス測定装置。
【請求項５】
前記第１の直流電圧源が、前記電圧検出回路を内蔵する装置筐体の内部に配置され、又は該装置筐体にケーブル接続可能に該装置筐体の外部に配置されることを特徴とする請求項４に記載のインピーダンス測定装置。
【発明の詳細な説明】
【技術分野】
【０００１】
本発明は、電池に交流電流を供給して、その交流電流、及び電池の両極間に発生する交流電圧から電池の内部インピーダンスを測定するインピーダンス測定装置に関するものである。
【背景技術】
【０００２】
電池は、直流起電力を発生するものであり、例えば、マンガン電池、アルカリマンガン電池などの一次電池や、鉛蓄電池、リチウムイオン蓄電池、ニッケルカドミニウム蓄電池などの二次電池の他に、燃料電池、太陽電池など種々のものがある。このような電池の特性を評価するために、電池の内部インピーダンス（出力インピーダンス）の値を測定することが行われている。
【０００３】
特許文献１には、電池の内部インピーダンスを測定可能なインピーダンス測定装置が記載されている。このインピーダンス測定装置１では、コンデンサを介して交流定電流源（交流源）から電池に交流電流を供給し、別のコンデンサを介して電池の両極端に発生する交流電圧を差動増幅回路（電圧検出回路）に入力させている。これらコンデンサは、直流を阻止して、電池の起電する直流電圧が交流源や差動増幅回路に直接印加されることを防止している。これにより、電池電圧の高低によらず、交流源等を破壊することなく、電池の内部インピーダンスの測定が可能になっている。
【先行技術文献】
【特許文献】
【０００４】
【特許文献１】特開平１１−２９５３６３号公報
【発明の概要】
【発明が解決しようとする課題】
【０００５】
特許文献１のインピーダンス測定装置では、電池を装置に接続したときに、コンデンサが電池電圧との電位差で充電されていく。コンデンサが充電されるまでの過渡期間には、その過渡特性により、差動増幅回路に入力する電圧が同相入力電圧範囲を超えてしまい差動増幅回路の出力電圧が飽和して、測定を行うことはできない。この飽和期間は、特に電池の直流起電力が交流源や差動増幅回路の電源電圧よりも大きく、さらにその差が大きいときに長くなる。充電時間（飽和期間）を短くするために、コンデンサの静電容量を小さくすることも考えられるが、交流源側のコンデンサの静電容量を小さくすると、コンデンサが交流源の負荷（抵抗）となるので、規定の交流電流を流すために交流源の電源電圧を高くする必要がある。また、差動増幅回路側のコンデンサの静電容量を小さくすると、交流信号の位相の回転が大きくなるため、測定精度が悪化してしまう。このため、コンデンサを大きな静電容量に設定する必要があるので、充電時間が長くなって、差動増幅回路の飽和期間が長くなり、測定に時間が掛かるという課題がある。
【０００６】
本発明は前記の課題を解決するためになされたもので、電池の内部インピーダンスの測定を短時間で行うことができるインピーダンス測定装置を提供することを目的とする。
【課題を解決するための手段】
【０００７】
前記の目的を達成するためになされた、特許請求の範囲の請求項１に記載されたインピーダンス測定装置は、測定対象の電池に交流源から交流電流を供給して、供給した該交流電流、及び該電池の両極間に発生する両極間交流電圧に基づいて、該電池の内部インピーダンスを測定するインピーダンス測定装置であって、該交流源と該電池とが、該交流源の出力端に負極が接続されると共に、該電池の正極に正極が接続される第１の直流電圧源を介して接続され、該電池の該正極に正極が接続される第２の直流電圧源と、該電池の負極、及び該第２の直流電圧源の負極間の電圧を検出する電圧検出回路とを備え、該電圧検出回路の出力の交流成分から該両極間交流電圧を測定することを特徴とする。
【０００８】
請求項２に記載されたインピーダンス測定装置は、請求項１に記載されたもので、前記第２の直流電圧源が、前記電圧検出回路を内蔵する装置筐体の内部に配置され、又は該装置筐体にケーブル接続可能に該装置筐体の外部に配置されることを特徴とする。
【０００９】
請求項３に記載されたインピーダンス測定装置は、請求項１又は２に記載されたもので、
前記第１の直流電圧源が、前記交流源を内蔵する装置筐体の内部に配置され、又は該装置筐体にケーブル接続可能に該装置筐体の外部に配置され、前記電池の前記正極に正極が接続される第２の直流電圧源と、該電池の負極、及び該第２の直流電圧源の負極間の電圧を検出する電圧検出回路とを備え、該電圧検出回路の出力の交流成分から前記両極間交流電圧を測定することを特徴とする。
【００１０】
請求項４に記載されたインピーダンス測定装置は、測定対象の電池に交流源から交流電流を供給して、供給した該交流電流、及び該電池の両極間に発生する両極間交流電圧に基づいて、該電池の内部インピーダンスを測定するインピーダンス測定装置であって、該交流源と該電池とが、該交流源の出力端に負極が接続されると共に、該電池の正極に正極が接続される第１の直流電圧源を介して接続され、該電池の該両極間に接続される抵抗分圧比が、既知な直列接続された直列抵抗と、該直列抵抗で抵抗分圧された電圧を検出する電圧検出回路とを備え、該電圧検出回路の出力の交流成分から前記両極間交流電圧を測定することを特徴とする。
【００１１】
請求項５に記載されたインピーダンス測定装置は、請求項４に記載されたもので、前記第１の直流電圧源が、前記電圧検出回路を内蔵する装置筐体の内部に配置され、又は該装置筐体にケーブル接続可能に該装置筐体の外部に配置されることを特徴とする。
【発明の効果】
【００１２】
本発明のインピーダンス測定装置によれば、交流源と電池とがコンデンサを介さずに接続されるので、コンデンサが電池で充電される過渡現象が発生せず、測定を短時間で行うことができる。
【００１３】
さらに、電圧検出回路と電池とがコンデンサを介さずに接続されるので、コンデンサが電池で充電される過渡現象が発生せず、測定を短時間で行うことができる。
【００１４】
第１の直流電圧源や第２の直流電圧源を、装置筐体に内蔵する場合、装置の持ち運びに便利である。また、第１の直流電圧源や第２の直流電圧源を、装置筐体の外部に配置してケーブル接続可能にする場合、例えば市販されている直流電圧源装置や測定対象の電池と同種の電池を装置にケーブルで接続することで、第１の直流電圧源や第２の直流電圧源として用いることができる。
【図面の簡単な説明】
【００１５】
【図１】本発明を適用するインピーダンス測定装置の使用状態の構成を示すブロック図である。
【図２】本発明を適用する他のインピーダンス測定装置の使用状態の構成を示すブロック図である。
【発明を実施するための形態】
【００１６】
以下、本発明の実施形態を詳細に説明するが、本発明の範囲はこれらの実施形態に限定されるものではない。
【００１７】
図１に示すインピーダンス測定装置１は、交流源２、第１の直流電圧源３、第２の直流電圧源４、測定部５、及び表示部６を備え、測定対象の電池３０に交流源２から交流電流ＩACを供給して、供給した交流電流ＩAC、及び電池３０の両極間に発生する両極間交流電圧ＶACに基づいて、４端子式で電池３０の内部インピーダンスＲBATを測定するものである。なお、同図では、電池３０に、等価的な内部抵抗３０ａを図示している。この内部抵抗３０ａの抵抗値が内部インピーダンスＲBATである。
【００１８】
交流源２は、一例として交流周波数１ｋＨｚの定電流を出力する交流定電流源である。交流源２と電池３０とは、直流電圧源３を介して接続される。具体的には、同図に示すように、交流源２の出力端に直流電圧源３の負極が接続されていて、電池３０の正極に、テストプローブ２１ａによって直流電圧源３の正極が接続される。また、交流源２の他の出力端は、テストプローブ２１ｂによって電池３０の負極に接続されると共に、基準電位に接続されている。交流源２としては、交流定電圧源を用いてもよい。
【００１９】
直流電圧源３は、電池３０の直流起電力（直流起電電圧）ＶBATと直流電圧源３の出力する直流電圧ＶDC1との電圧差が、交流源２の出力に印加可能な最大電圧以下となる直流電圧ＶDC1を出力するものである。直流電圧源３が、電池３０の直流起電力ＶBATにほぼ等しい直流電圧ＶDC1を出力するものであれば、両電圧の電圧差が少なくなるので好ましい。この例では、直流電圧源３として、電池３０と同様の電池を用いている。この場合、直流電圧源３となる電池は消耗時に交換可能になっている。なお、直流電圧源３として、公知の直流定電圧回路を用いてもよい。
【００２０】
直流電圧源３は、交流源２、測定部５、及び表示部６を内蔵するインピーダンス測定装置１の装置筐体の内部に配置してもよいし、この装置筐体の外部に配置して、装置筐体に設けられたコネクタ端子に、電気ケーブルで接続してもよい。
【００２１】
また、電池３０の正極に、第２の直流電圧源４の正極がテストプローブ２２ａによって接続される。この直流電圧源４の負極は、測定部５の後述する差動増幅回路１１の反転入力端子に接続されている。また、電池３０の負極に、テストプローブ２２ｂによって差動増幅回路１１の非反転入力端子が接続される。
【００２２】
直流電圧源４は、電池３０の直流起電力ＶBATと直流電圧源４の出力する直流電圧ＶDC2との電圧差が、測定部５に入力して測定可能な最大電圧以下となる直流電圧ＶDC2を出力するものである。具体的には、直流電圧源４は、直流起電力ＶBATと直流電圧ＶDC2との電圧差が、差動増幅回路１１の両入力端子間に入力可能な最大電圧（同相入力電圧範囲）以下であり、直流電圧ＶDC2に両極間交流電圧ＶACが重畳されたときにも差動増幅回路１１の出力が飽和しない直流電圧ＶDC2を出力する。直流電圧源４が、電池３０の直流起電力ＶBATにほぼ等しい直流電圧ＶDC2を出力するものであれば、両電圧の電圧差が少なくなるので好ましい。この例では、直流電圧源４として、電池３０と同様の電池を用いている。この場合、直流電圧源４となる電池は消耗時に交換可能になっている。なお、直流電圧源４として、公知の直流定電圧回路を用いてもよい。
【００２３】
直流電圧源４は、交流源２、測定部５、及び表示部６を内蔵するインピーダンス測定装置１の装置筐体の内部に配置してもよいし、この装置筐体の外部に配置して、装置筐体に設けられたコネクタ端子に、電気ケーブルで接続してもよい。
【００２４】
測定部５は、差動増幅回路１１、ＢＰＦ１２、Ａ／Ｄ変換器１３、演算処理部１４、及びＡ／Ｄ変換器１５を備えている。差動増幅回路１１は、本発明における電圧検出回路の一例であって、一対の入力端子（この場合、反転入力端子及び非反転入力端子）間のインピーダンスが電圧検出対象に比べて充分にハイインピーダンスになっていて、入力端子間に印加される電圧の信号波形を、そのまま又は所望の増幅度で増幅して出力する電圧波形検出用の入力回路である。この場合、差動増幅回路１１は、反転入力端子と非反転入力端子との間の電位差を所望の増幅度で差動増幅して出力する。差動増幅回路１１の出力に接続されたＢＰＦ１２は、交流源２の出力する周波数（この例では１ｋＨｚ）の交流成分を通過させ、直流成分を通過させないバンドパスフィルタである。Ａ／Ｄ変換器１３は、ＢＦＦ１２の出力信号をアナログ／デジタル変換して演算処理部１４に出力する。
【００２５】
また、交流源２は、交流源２の出力する交流電流ＩACの電流波形を、一例として電流検出用抵抗（不図示）で検出するなどして、電圧波形で出力する電流測定用端子１８を有している。Ａ／Ｄ変換器１５は、電流測定用端子１８の出力信号をアナログ／デジタル変換して演算処理部１４に出力する。
【００２６】
演算処理部１４は、一例としてマイクロプロセッサやＣＰＵなどの演算処理回路や、その動作プログラムを内蔵するＲＯＭや演算結果を記憶するＲＡＭなどの記憶部を有して構成されている。演算処理部１４は、Ａ／Ｄ変換器１３の出力から差動増幅回路１１の増幅度を考慮して電池３０の両極間交流電圧ＶACを測定すると共に、Ａ／Ｄ変換器１３の出力から交流電流ＩACを測定し、両極間交流電圧ＶAC及び交流電流ＩACの各振幅と位相差とに基づいて、電池３０の内部インピーダンスＲBATを算出して、表示部６に出力する。表示部６は、一例として液晶ディスプレイパネルである。
【００２７】
次に、このインピーダンス測定装置１の測定動作について説明する。
【００２８】
先ず、図１に示すように測定対象の電池３０にテストプローブ２１ａ，２１ｂ，２２ａ，２２ｂを接続する。測定を開始すると、交流源２が交流電流ＩACを出力する。交流電流ＩACは、交流源２、直流電圧源３、及び電池３０で形成される閉ループを流れる。なお、差動増幅回路１１の入力インピーダンスがハイインピーダンスであるので、交流電流ＩACは直流電圧源４や差動増幅回路１１に流れない。
【００２９】
電池３０の接続により、交流源２の両出力端子間に掛かる直流電圧は、直流電圧源３が接続されていることから、（直流起電力ＶBAT）−（直流電圧ＶDC1）となる。つまり、交流源２には、電池３０の直流起電力ＶBATが直接印加されず、直流電圧源３の直流電圧ＶDC1との差の電圧が印加される。この差の電圧は、交流源２に印加可能な電圧範囲内に設定しているので、交流源２は破損しない。つまり、直流電圧源３を配することで、従来の特許文献１に配されたような直流阻止用のコンデンサを配する必要がない。このため、コンデンサの充電に起因する差動増幅回路１１の飽和現象が発生しない。また、電池３０の直流起電力ＶBATが交流源２にそのまま印加されないので、交流源２として、例えば回路の電源電圧を直流起電力ＶBATよりも高くした交流源のような、出力に印加可能な最大電圧が大きな交流源を用いる必要が無い。電池３０と直流電源３とが同様の電池であれば、直流起電力ＶBAT≒直流電圧ＶDC1であり、交流源２にはほとんど直流電圧が印加されないので好ましい。また、直流電圧源３が出力電圧を調整可能な直流定電圧回路であれば、直流起電力ＶBAT≒直流電圧ＶDC1に調整することができるので好ましい。
【００３０】
電池３０に交流電流ＩACが供給されて、電池３０の内部抵抗３０ａに交流電流ＩACが流れることに起因して、電池３０の両端間には交流電圧（両端間交流電圧）ＶACが発生する。電池３０自体は、直流起電力ＶBATを起電するので、電池３０の両端間電圧ＶDUTは、
両端間電圧ＶDUT＝直流起電力ＶBAT＋両端間交流電圧ＶAC
となる。差動増幅回路１１の両入力端子間に入力される入力電圧ＶIN1は、電池３０と差動増幅回路１１との間に直流電圧源４が接続されていることから、
入力電圧ＶIN1＝両端間電圧ＶDUT−直流電圧ＶDC2
＝直流起電力ＶBAT＋両端間交流電圧ＶAC−直流電圧ＶDC2
となる。
【００３１】
つまり、差動増幅回路１１には、直流的に、電池３０の直流起電力ＶBATが印加されず、直流起電力ＶBATと直流電圧源４の直流電圧ＶDC2との差の直流電圧が印加される。この差の電圧は、差動増幅回路１１が入力可能な電圧範囲内に設定しているので、差動増幅回路１１は破損せず、増幅動作（測定）が可能である。つまり、直流電圧源４を配することで、直流阻止用のコンデンサを配する必要がなく、このため、コンデンサの充電に起因する差動増幅回路１１の飽和現象が発生しない。また、電池３０の直流起電力ＶBATが差動増幅回路１１にそのまま印加されないので、差動増幅回路１１として、例えば回路の電源電圧を直流起電力ＶBATよりも高くした差動増幅回路のような、入力可能な最大電圧範囲が大きな差動増幅回路を用いる必要が無い。
【００３２】
電池３０と直流電圧源４とが同様の電池であれば、直流起電力ＶBAT≒直流電圧ＶDC2であるので、差動増幅回路１１には、ほとんど直流電圧が印加されずに、電池３０に発生した両端間交流電圧ＶACが印加されるので好ましい。また、直流電圧源４が出力電圧を調整可能な直流定電圧回路であれば、直流起電力ＶBAT≒直流電圧ＶDC2に調整することができるので好ましい。
【００３３】
差動増幅回路１１が入力電圧ＶIN1を差動増幅し、ＢＰＦ１２が周波数１ｋＨｚの交流成分（交流電圧信号）だけを通過させる。その信号をＡ／Ｄ変換器１３がデジタル信号に変換する。また、Ａ／Ｄ変換器１５が交流電流ＩACに対応する電圧信号をデジタル信号に変換する。演算処理部１４は、入力された両信号から電池３０の内部インピーダンスＲBATを算出して表示部６に出力する。表示部６は、演算処理部１４から出力された内部インピーダンスＲBATの値を表示する。
【００３４】
以上で、電池３０の内部インピーダンスＲBATの測定が終了する。
【００３５】
このように、交流源２、直流電圧源３、及び電池３０で形成される閉ループ内や、電池３０、直流電圧源４、及び差動増幅回路１１で形成される閉ループ内に、コンデンサが存在しないので、コンデンサの充電に起因する差動増幅回路１１の飽和現象が発生しないため、電池３０の接続後、直ちに測定することができる。従って、短時間で測定を行うことが可能である。
【００３６】
次に、本発明の他の実施形態であるインピーダンス測定装置１ａについて、図２を参照しつつ説明する。なお、すでに説明した構成と同様の構成については同じ符号を付して詳細な説明を省略する。
【００３７】
既に説明した図１のインピーダンス測定装置１では、電池３０に直流電圧源４を接続して端子間交流電圧ＶACを測定していたのに対し、この図２のインピーダンス測定装置１ａでは、電池３０の両極間に、抵抗分圧比が既知な直列接続された抵抗２５，２６（本発明における直列抵抗）を接続して、抵抗２５，２６で抵抗分割される電圧から両極間交流電圧ＶACを測定する点で異なっている。交流源２と電池３０とが直流電圧源３を介して接続される点は同様である。
【００３８】
具体的には、同図に示すように、電池３０の正極に、抵抗２５の一端がテストプローブ２２ａによって接続され、電池３０の負極に、抵抗２６の一端がテストプローブ２２ｂによって接続される。抵抗２５，２６の他端同士が接続されて、抵抗２５，２６が直列接続されている。また、抵抗２５，２６の他端同士は、差動増幅回路１１の反転入力端子に接続されている。抵抗２６の一端は、差動増幅回路１１の非反転入力端子に接続されている。差動増幅回路１１は、抵抗２６の両端間の電圧を差動増幅する。
【００３９】
直列接続された抵抗２５，２６は、交流電流ＩACの測定に影響が出ないように、交流電流ＩACが殆ど流れないようなハイインピーダンスに設定されている。この抵抗２５，２６の各々の抵抗値を適宜設定することで、抵抗分圧比を適宜設定する。つまり、抵抗２６の両端間電圧（入力電圧ＶIN2）が差動増幅回路１１で差動増幅可能な電圧範囲内となるように、抵抗２５，２６の抵抗分圧比を設定する。
【００４０】
測定部５ａの演算処理部１４ａは、抵抗２５，２６の抵抗分圧比、及び差動増幅回路１１の増幅度を考慮して、電池３０の両極間交流電圧ＶACを算出可能になっている。演算処理部１４ａは、両極間交流電圧ＶAC及び交流電流ＩACから電池３０の内部インピーダンスＲBATを算出する。
【００４１】
このインピーダンス測定装置１ａの測定動作について説明する。
【００４２】
電池３０を接続して、交流源２が交流電流ＩACを出力すると、電池３０の両端間電圧ＶDUTは、インピーダンス測定装置１と同様に、
両端間電圧ＶDUT＝直流起電力ＶBAT＋両端間交流電圧ＶAC
となる。この両端間電圧ＶDUTが抵抗２５，２６で抵抗分圧されるので、差動増幅回路１１への入力電圧ＶIN2は、下記のように両端間電圧ＶDUTに抵抗分圧比を乗算することで算出できる。
入力電圧ＶIN2＝両端間電圧ＶDUT×Ｒ２６／（Ｒ２５＋Ｒ２６）
＝直流起電力ＶBAT×Ｒ２６／（Ｒ２５＋Ｒ２６）
＋両端間交流電圧ＶAC×Ｒ２６／（Ｒ２５＋Ｒ２６）
となる。ここで、Ｒ２５は抵抗２５の抵抗値、Ｒ２６は抵抗２６の抵抗値である。
【００４３】
入力電圧ＶIN2は、差動増幅回路１１が入力可能な電圧範囲内になるように分圧比が設定されているので、差動増幅回路１１が破損せず、増幅動作（測定）が可能な電圧となる。従って、差動増幅回路１１の入力に直流阻止用のコンデンサを配する必要がないため、コンデンサの充電に起因する差動増幅回路１１の飽和現象が発生しない。また、差動増幅回路１１として、例えば回路の電源電圧を直流起電力ＶBATよりも高くした差動増幅回路のような、入力可能な最大電圧範囲が大きな差動増幅回路を用いる必要が無い。
【００４４】
差動増幅回路１１は入力電圧ＶIN2を差動増幅し、ＢＰＦ１２が周波数１ｋＨｚの交流成分だけを通過させる。その信号をＡ／Ｄ変換器１３がデジタル変換して、演算処理部１４ａに出力する。演算処理部１４ａは、両極間交流電圧ＶACを測定し、この極間交流電圧ＶAC、及びＡ／Ｄ変換器１３から出力される交流電流ＩACから電池３０の内部インピーダンスＲBATを算出して表示部６に表示させる。
【００４５】
以上で、電池３０の内部インピーダンスＲBATの測定が終了する。
【００４６】
このように、交流源２、直流電圧源３、及び電池３０で形成される閉ループ内や、電池３０、抵抗２５，２６、及び差動増幅回路１１で形成される閉ループ内に、コンデンサが存在しないので、コンデンサの充電に起因する差動増幅回路１１の飽和が発生しないため、電池３０の接続後、直ちに測定することができるので、短時間で測定を行うことが可能である。
【００４７】
なお、差動増幅回路１１とＤ／Ａ変換器１３との間にＢＰＦ１２を配置した構成について説明したが、差動増幅回路１１出力をＤ／Ａ変換器１３に接続して、演算処理部１４がデジタル的にバンドパスフィルタ処理を行ってもよい。
【００４８】
また、電圧検出回路として差動増幅回路１１を用いた例について説明したが、これに限られず、電圧検出対象の電圧波形を、電圧検出対象に影響なく検出（入力）して、その波形をそのまま又は増幅（増幅度１以下も含む）して出力可能な回路であれば、公知の種々の回路を用いることができる。例えば、図１に示すようにテストプローブ２１ｂ、２２ｂは基準電位に接地されているので、電圧検出回路として、基準電位に対する電圧波形を増幅可能な、一つの入力端子を有する増幅回路を用いてもよい。
【符号の説明】
【００４９】
１・１ａはインピーダンス測定装置、２は交流源、３は第１の直流電圧源、４は第２の直流電圧源、５・５ａは測定部、６は表示部、１１は差動増幅回路、１２はＢＰＦ、１３はＡ／Ｄ変換器、１４・１４ａは演算処理部、１５はＡ／Ｄ変換器、１８は電流測定用端子、２１ａ・２１ｂ・２２ａ・２２ｂはテストプローブ、２５・２６は抵抗、３０は電池、３０ａは内部抵抗、ＩACは交流電流、ＶACは電池３０の両極間交流電圧、ＶBATは直流電圧、ＶDC1・ＶDC2は直流電圧、ＶDUTは電池３０の両端間電圧、ＶIN1・ＶIN2は入力電圧である。
【図１】
0005620297.tif 000002
【図２】
0005620297.tif 000003